(57)【要約】【課題】塵芥収集車において、できるだけ少ない消費量で効果的に塵芥投入箱内の消臭を行う。【解決手段】液体消臭剤を貯留する消臭剤タンク３３と、塵芥投入箱２２の側壁内面１２２ａに向けて液体消臭剤を噴射するメイン噴射ノズル１３５と、メイン噴射ノズル１３５へ消臭剤タンク３３からの液体消臭剤を供給する供給管３３ａ，１３３ｂとを設ける。【選択図】図７
2018087084.tif 000002
【特許請求の範囲】
【請求項１】
塵芥収容箱と、該塵芥収容箱に連設された塵芥投入箱と、該塵芥投入箱に設けられ、該塵芥投入箱の投入口から投入された塵芥を圧縮して上記塵芥収容箱側へ押し込む塵芥積込機構とを備えた塵芥収集車であって、
液体消臭剤を貯留する消臭剤タンクと、
上記塵芥投入箱の側壁内面の近傍に設けられ、該側壁内面に向けて上記液体消臭剤を噴射する噴射ノズルと、
上記噴射ノズルへ上記消臭剤タンクからの上記液体消臭剤を供給する供給管とを備えている
ことを特徴とする塵芥収集車。
【請求項２】
請求項１に記載の塵芥収集車において、
上記噴射ノズルは、上記投入口の上縁近傍における、上記側壁内面に向けて上記液体消臭剤を噴射するように構成されている
ことを特徴とする塵芥収集車。
【請求項３】
請求項１又は２に記載の塵芥収集車において、
上記塵芥投入箱には、上記塵芥投入箱の側壁内面に噴射された上記液体消臭剤を回収する汚水タンクが設けられている
ことを特徴とする塵芥収集車。
【請求項４】
請求項１から３のいずれか１つに記載の塵芥収集車において、
上記投入口を開閉するテールゲートと、
上記テールゲートが閉じたのを検知する開閉検知部と、
上記開閉検知部の信号を受けて上記消臭剤タンクから上記液体消臭剤を送り出す消臭剤供給部とを備えている
ことを特徴とする塵芥収集車。
【請求項５】
請求項１から４のいずれか１つに記載の塵芥収集車において、
上記投入口を開閉するテールゲートと、
上記テールゲートの移動をガイドするホッパガイドレールとを更に備え、
上記噴射ノズルは、上記ホッパガイドレールにも上記液体消臭剤を噴射するように構成されている
ことを特徴とする塵芥収集車。
【請求項６】
請求項５に記載の塵芥収集車において、
上記液体消臭剤は、上記ホッパガイドレールに供給されるグリースと混ざりやすい成分を含む
ことを特徴とする塵芥収集車。
【請求項７】
請求項４から６のいずれか１つに記載の塵芥収集車において、
上記供給管は、上記塵芥投入箱の幅方向に延びており、
上記供給管の上記幅方向の中間にも補助噴射ノズルを備え、該補助噴射ノズルは、上記テールゲートの内面側に上記液体消臭剤を吹き付けるように構成されている
ことを特徴とする塵芥収集車。
【請求項８】
請求項１〜７のいずれか１つに記載の塵芥収集車において、
上記供給管は、上記塵芥投入箱の幅方向に延びており、
上記供給管の上記幅方向の中間にも補助噴射ノズルを備え、該補助噴射ノズルは、上記塵芥積込機構に向かって上記液体消臭剤を噴射するように構成されている
ことを特徴とする塵芥収集車。
【請求項９】
請求項１〜８のいずれか１つに記載の塵芥収集車において、
上記消臭剤タンクは、上記塵芥投入箱の開閉式サイドパネルで隠れる側壁の外面に設けられている
ことを特徴とする塵芥収集車。
【発明の詳細な説明】
【技術分野】
【０００１】
本発明は、塵芥収容箱と、塵芥収容箱に連設された塵芥投入箱と、塵芥投入箱に設けられ、塵芥投入箱の投入口から投入された塵芥を圧縮して塵芥収容箱側へ押し込む塵芥積込機構とを備えた塵芥収集車に関し、特にその消臭対策に関する。
【背景技術】
【０００２】
従来より、この種の塵芥収集車では、収集物である塵芥特有の臭いを低減させるために、押込板や回転板の動きに合わせて消臭剤を自動で噴霧する消臭装置が知られている（例えば特許文献１参照）。
【先行技術文献】
【特許文献】
【０００３】
【特許文献１】実開昭４８−１０５２１２号公報
【発明の概要】
【発明が解決しようとする課題】
【０００４】
しかしながら、特許文献１のような方法では、塵芥積込機構が駆動すると、押込板が消臭剤の付着した塵芥を塵芥収集箱内に押し込んでしまうので、塵芥投入口近辺に取り残された塵芥の臭いを十分に消すことができないという問題がある。
【０００５】
また、この方法では、塵芥を投入する度に消臭剤を吹きかけるので、その消費量が多く、補充の手間や費用が問題となる。
【０００６】
本発明は、かかる点に鑑みてなされたものであり、その目的とするところは、できるだけ少ない消臭剤の消費量で効果的に塵芥投入箱内の消臭を行うことにある。
【課題を解決するための手段】
【０００７】
上記の目的を達成するために、この発明では、塵芥投入箱の側壁内面に向けて液体消臭剤を噴射するようにした。
【０００８】
具体的には、第１の発明では、
塵芥収容箱と、該塵芥収容箱に連設された塵芥投入箱と、該塵芥投入箱に設けられ、該塵芥投入箱の投入口から投入された塵芥を圧縮して上記塵芥収容箱側へ押し込む塵芥積込機構とを備えた塵芥収集車を対象とする。
【０００９】
そして、この塵芥収集車は、
液体消臭剤を貯留する消臭剤タンクと、
上記塵芥投入箱の側壁内面の近傍に設けられ、該側壁内面に向けて上記液体消臭剤を噴射する噴射ノズルと、
上記噴射ノズルへ上記消臭剤タンクからの上記液体消臭剤を供給する供給管とを備えている。
【００１０】
上記の構成によると、液体消臭剤を塵芥そのものではなく、塵芥投入箱の側壁内面に噴射しているので、塵芥を塵芥収容箱に押し込んだ後でも、消臭効果が残ると共に、作業時や走行時に臭いを発しやすい場所に噴射するので、消臭効果が高い。また、噴射ノズルを側壁内面の近傍に設けることにより、確実に液体消臭剤を側壁内面に噴射することができる。これにより、本発明の塵芥収集車は、走行時において塵芥投入箱内部から臭気が外に漏れ出ることを防ぐことができる。なお、「側壁内面の近傍」とは、側壁内面に近付きすぎず、液体消臭剤を十分に噴射できる程度に離れていることを意味する。
【００１１】
第２の発明では、第１の発明において、
上記噴射ノズルは、上記投入口の上縁近傍における、上記側壁内面に向けて上記液体消臭剤を噴射するように構成されている。
【００１２】
上記の構成によると、液体消臭剤を噴射する領域を特に投入口の上縁近傍に集中させることで、その位置から液体消臭剤が重力により側壁内面に沿って下方に落ちる。このため、側壁内面の広い範囲に消臭剤を付着させることができる。なお、「投入口の上縁近傍」とは、噴射した液体消臭剤が投入口からすぐに出てしまわないように、投入口の上側の縁部から適度に離れた位置を意味する。
【００１３】
第３の発明では、第１又は第２の発明において、
上記塵芥投入箱には、上記塵芥投入箱の側壁内面に噴射された上記液体消臭剤を回収する汚水タンクが設けられている。
【００１４】
上記の構成によると、仮に消臭剤が多めに噴射されて側壁内面の下端部まで消臭液がしたたり落ちたとしても、余分な消臭剤は塵芥投入箱の底板に設けられた汚水孔から汚水タンクに入る。これにより、地面に消臭剤が大量にしたたり落ちるというトラブルをなくすことができる。
【００１５】
第４の発明では、第１から第３のいずれか１つの発明において、
上記投入口を開閉するテールゲートと、
上記テールゲートが閉じたのを検知する開閉検知部と、
上記開閉検知部の信号を受けて上記消臭剤タンクから上記液体消臭剤を送り出す消臭剤供給部とを備えている。
【００１６】
上記の構成によると、テールゲートが閉じたときのみ液体消臭剤を噴射するようにすれば、その消費量を抑えられる。本発明では、液体消臭剤を側壁内面に向かって吹き付けているので、塵芥に向かって直接吹き付ける場合と比べ、塵芥が塵芥収容箱内に収容された後も消臭効果が持続する。
【００１７】
第５の発明では、第１から第４のいずれか１つの発明において、
上記投入口を開閉するテールゲートと、
上記テールゲートの移動をガイドするホッパガイドレールとを更に備え、
上記噴射ノズルは、上記ホッパガイドレールにも上記液体消臭剤を噴射するように構成されている。
【００１８】
上記の構成によると、液体消臭剤を塵芥そのものではなく、車体後部にあるホッパガイドレールにも噴射しているので、塵芥を塵芥収容箱に押し込んだ後でも、消臭効果が残ると共に、作業時や走行時に臭いを発しやすい場所に噴射するので、消臭効果が高い。また、テールゲートの滑らかな移動のために通常はホッパガイドレールにグリースが塗られており、このグリースと液体消臭剤とが混ざり合うことで、消臭効果をできるだけ長持ちさせることができる。すなわち、液体消臭剤は、完全に揮発しきってしまうと、香りを発生させることができなくなるが、粘性の高いグリースと混ぜ合わせることで、消臭剤の香りを維持したまま、揮発性を低下させて従来よりも長く消臭効果が維持される。特に、作業者がテールゲートを開閉する度にテールゲートにおけるホッパガイドレールとの係合部分により、ホッパガイドレール全体に渡って液体消臭剤を塗布することができる。これにより、作業者が意図せずとも液体消臭剤の消臭効果を高めることができる。また、通常塵芥収集車の走行時にはテールゲートを閉じて走行するので塵芥投入箱内部から漏れ出る臭気は塵芥投入口周縁とテールゲートとの隙間から出ることになるところ、本発明ではその隙間部分に位置するホッパガイドレールに液体消臭剤が塗布されている。これにより、本発明の塵芥収集車は、走行時において塵芥投入箱内部から臭気が外に漏れ出ることを防ぐことができる。
【００１９】
第６の発明では、第５の発明において、
上記液体消臭剤は、上記ホッパガイドレールに供給されるグリースと混ざりやすい成分を含む。
【００２０】
上記の構成によると、粘性のあるグリースと混ざることで、消臭成分がホッパガイドレールに残り、消臭効果が持続しやすくなる。グリースは、粘性が高い工業用グリースであれば特に限定されない。
【００２１】
第７の発明では、第４から第６のいずれか１つの発明において、
上記供給管は、上記塵芥投入箱の幅方向に延びており、
上記供給管の上記幅方向の中間にも補助噴射ノズルを備え、該補助噴射ノズルは、上記テールゲートの内面側に上記液体消臭剤を吹き付けるように構成されている。
【００２２】
上記の構成によると、ホッパガイドレールだけでなく、テールゲートの内面にも液体消臭剤を噴射することで、塵芥投入箱内部の臭いが更に効果的に消臭される。
【００２３】
第８の発明では、第１〜第７のいずれか１つ発明において、
上記供給管は、上記塵芥投入箱の幅方向に延びており、
上記供給管の上記幅方向の中間にも補助噴射ノズルを備え、該補助噴射ノズルは、上記塵芥積込機構に向かって上記液体消臭剤を噴射するように構成されている。
【００２４】
上記の構成によると、供給管の塵芥投入箱の幅方向中央に設けた補助噴射ノズルから塵芥積込装置の摺動板、押込板等の可動部に向けて消臭剤が噴射されることにより、投入口から出ようとする臭気に対し、より一層広い範囲で消臭剤の香り成分を混合させることができる。
【００２５】
第９の発明では、第１〜第８のいずれか１つ発明において、
上記消臭剤タンクは、上記塵芥投入箱の開閉式サイドパネルで隠れる側壁の外面に設けられている。
【００２６】
上記の構成によると、開閉式サイドパネル内に消臭剤タンクが隠れているので、見映えが良く、また、液体消臭剤の残量の確認やその補充も容易である。
【発明の効果】
【００２７】
以上説明したように、本発明によれば、塵芥投入箱の側壁内面に向けて液体消臭剤を噴射する噴射ノズルを設けたので、できるだけ少ない消費量で効果的に塵芥投入箱内の消臭を行うことができる。
【図面の簡単な説明】
【００２８】
【図１Ａ】テールゲートが閉じた状態の、本発明の実施形態１に係る消臭装置及びその周辺を、サイドカバーを外して拡大して示す側面図である。
【図１Ｂ】テールゲートが開いた状態の図１Ａ相当側面図である。
【図２】本発明の実施形態１に係る塵芥収集車を示す側面図である。
【図３】本発明の実施形態１に係る消臭装置及びその周辺を拡大して示す背面図である。
【図４Ａ】図３のIVA部拡大背面図である。
【図４Ｂ】図４ＡのIVB方向から見た矢視図である。
【図５】図３のＶ−Ｖ線拡大断面図である。
【図６】本発明の実施形態２に係る図１Ｂ相当側面図である。
【図７】本発明の実施形態２に係る図３相当背面図である。
【図８】図７のVIII−VIII線拡大断面図である。
【発明を実施するための形態】
【００２９】
以下、本発明の実施形態を図面に基づいて説明する。
【００３０】
（実施形態１）
図２は、本発明の実施形態１に係る塵芥収集車１の側面図であり、この塵芥収集車１は、走行するためのベース車両１０と、塵芥を収集する作業を行うための、塵芥収集装置２０とを備えている。
【００３１】
ベース車両１０は、シャシフレーム１１と、シャシフレーム１１の前部に設けられたキャブ１２とを備えている。シャシフレーム１１には、前部に左右一対の車輪１１ａと後部に左右一対の車輪１１ｂが設けられている。キャブ１２の内部には運転席及び助手席が設けられている。
【００３２】
塵芥収集装置２０は、塵芥を収容するための塵芥収容箱２１と、塵芥収容箱２１の後方に設けられ、塵芥を塵芥収容箱２１に積込むための塵芥投入箱２２とを備えている。塵芥投入箱２２の後面の下部には矩形状の塵芥投入口２２ａが設けられている。塵芥投入口２２ａはテールゲート２２ｂによって開閉可能となっている。テールゲート２２ｂは、例えば矩形板状のもので、図１Ａ及び図１Ｂに示すように、その左右両側に設けたローラ２４が側壁２２ｅの周縁に設けられた一対のホッパガイドレール３０に当接しながら上下にスライド移動可能となっている。図１Ｂに示すテールゲート２２ｂの開状態では、テールゲート２２ｂは塵芥投入口２２ａの上方かつ塵芥投入箱２２の後面部内側に収納されるようになっている。つまり、テールゲート開閉機構がいわゆるインナースライド式の開閉機構となっている。
【００３３】
テールゲート２２ｂの上端は、ゲート支持アーム３１の先端に支持されており、このゲート支持アーム３１が下降してテールゲート２２ｂが塵芥投入口２２ａを閉じたのを検出する開閉検知部としての近接センサ３２が側壁２２ｅに設けられている。ホッパガイドレール３０には、潤滑のためにグリースが供給されている。グリースの供給方法は、手差しでも良いし、集中配管によって一箇所注入すれば複数箇所から供給される方法でも良い。
【００３４】
図２に破線で示すように、塵芥投入箱２２の内部には、塵芥投入口２２ａから投入された塵芥を圧縮して塵芥収容箱２１に向かって押し込むための、塵芥積込機構２３が設けられている。塵芥投入箱２２には、塵芥積込機構２３を作動させるための操作スイッチ２２ｃが塵芥投入口２２ａに隣接して設けられている。
【００３５】
塵芥積込機構２３は、塵芥投入口２２ａから投入された塵芥を塵芥収容箱２１側に掻き上げるための回転板２３ａと、回転板２３ａが掻き上げた塵芥を塵芥収容箱２１に押し込む押込板２３ｂとを有している。回転板２３ａは油圧モータ２３ｃによって駆動され、押込板２３ｂは揺動シリンダ２３ｄによって駆動されるようになっている。
【００３６】
そして、図１Ａ及び図３に示すように、塵芥収集車１は、液体消臭剤を貯留する消臭剤タンク３３を備えている。この消臭剤タンク３３は、左右いずれか一方の側壁２２ｅに設けられており、消臭剤供給部としての電動ポンプ３４を備えている。消臭剤タンク３３からは、ビニールホース等よりなる第１供給管３３ａが延びている。この第１供給管３３ａには、電動ポンプ３４へ延びるハーネス３４ａが共締めされていても良い。第１供給管３３ａの先端は、側壁２２ｅを貫通し、内部に延びている。図３及び図５に示すように、左右の側壁２２ｅを繋ぐクロスバー２２ｆには、金属チューブ等よりなる第２供給管３３ｂがブラケット３３ｃを介して固定されている。この第２供給管３３ｂに第１供給管３３ａの先端が接続されており、消臭剤タンク３３からの液体消臭剤が送り込まれるようになっている。第２供給管３３ｂの左右両端には、ホッパガイドレール３０に向けて液体消臭剤を噴射するメイン噴射ノズル３５がそれぞれ設けられている。メイン噴射ノズル３５の先端は、図４Ａ及び図４Ｂに示すように、ホッパガイドレール３０に向けられている。その噴射領域Ａは、ホッパガイドレール３０に液体消臭剤を適切に噴射できるようになっている。
【００３７】
また、第２供給管３３ｂの左右中央には、テールゲート２２ｂの内面側に液体消臭剤を吹き付ける補助噴射ノズル３６が設けられている。補助噴射ノズル３６の先端は、閉じ状態のテールゲート２２ｂの内面に向いている（図３及び図５に領域Ｂで示す）。
【００３８】
そして、近接センサ３２がテールゲート２２ｂが閉じたのを検知すると、その信号を受けて電動ポンプ３４が駆動され、消臭剤タンク３３から液体消臭剤が送り出されるようになっている。液体消臭剤は、ホッパガイドレール３０に供給されるグリースと混ざりやすい成分を含むのが望ましい。具体的には、グリースが油性であるので、油と親和性のある成分を含むものが望ましい。
【００３９】
図２に示すように塵芥投入箱２２には、汚水タンク２５が設けられており、塵芥投入箱２２の底板に設けられた汚水孔（図示せず）から底板に溜まった液体が汚水タンク２５に入るようになっている。このことで、塵芥投入箱２２内に噴射されて底板に溜まった液体消臭剤を汚水タンク２５に回収できるようになっている。
【００４０】
図２及び図３に示すように、消臭剤タンク３３を塵芥投入箱２２の開閉式サイドパネル２２ｄで隠れる側壁２２ｅに設けたので、見映えが良く、また、液体消臭剤の残量の確認やその補充も容易となっている。
【００４１】
次に、本実施形態に係る塵芥収集車１の消臭動作について説明する。
【００４２】
塵芥収集車１の走行時には、図１Ａに示すように、テールゲート２２ｂは閉じられている。
【００４３】
収集場所に到着すると、塵芥収集車１の作業者は、図１Ｂに示すように、テールゲート２２ｂを開けて塵芥を塵芥投入口２２ａから放り込む。そして、塵芥の積込量に合わせて適宜、操作スイッチ２２ｃ等を操作して塵芥積込機構２３を駆動させ、塵芥を塵芥収容箱２１に押し込ませる。このとき、特許文献１のように塵芥積込機構２３の駆動の度に液体消臭剤を噴射することはしない。
【００４４】
そして、積込作業を終えると、図１Ａに示すように、作業者はテールゲート２２ｂを閉じる。テールゲート２２ｂは、ゲート支持アーム３１を回動させることで閉じられるが、このとき、近接センサ３２がテールゲート２２ｂが閉じられたのを検知する。
【００４５】
すると、ハーネス３４ａから電力が供給されて電動ポンプ３４が駆動する。これにより、消臭剤タンク３３内の液体消臭剤が第１供給管３３ａを通って第２供給管３３ｂに供給される。
【００４６】
そして、メイン噴射ノズル３５から液体消臭剤が一対のホッパガイドレール３０に向けて噴射される。ホッパガイドレール３０には、予め潤滑用のグリースが塗布されているので、液体消臭剤の一部は、グリースと混合される。
【００４７】
同時に補助噴射ノズル３６から液体消臭剤がテールゲート２２ｂの内面に向けて噴射される。これにより、テールゲート２２ｂの内面に液体消臭材が付着する。
【００４８】
このように、ホッパガイドレール３０だけでなく、テールゲート２２ｂの内面にも液体消臭剤を噴射することで、塵芥投入箱２２内部の臭いが更に効果的に消臭される。
【００４９】
また、テールゲート２２ｂが閉じたときのみ液体消臭剤を噴射するようにしているので、その消費量を抑えられる。
【００５０】
本実施形態では、液体消臭剤を塵芥そのものではなく、車体後部にあるホッパガイドレール３０に噴射しているので、塵芥を塵芥収容箱２１に押し込んだ後でも、消臭効果が残る。また、作業時やテールゲート２２ｂを閉じた状態での走行時に臭いを発しやすい塵芥投入口２２ａ周縁のホッパガイドレール３０に噴射するので、消臭効果が高い。
【００５１】
また、テールゲート２２ｂの滑らかな移動のために通常はグリースが塗られており、このグリースと液体消臭剤とが混ざり合うことで、消臭効果をできるだけ長持ちさせることができる。すなわち、液体消臭剤は、完全に揮発しきってしまうと、香りを発生させることができなくなるが、粘性の高いグリースと混ぜ合わせることで、消臭成分がホッパガイドレール３０に残りやすく消臭剤の香りを維持したまま、揮発性を低下させて従来よりも長く消臭効果が維持される。また、グリースは、テールゲート２２ｂの開閉に伴ってローラ２４が上下に移動するときにホッパガイドレール内で広がるので、液体消臭剤が広がりやすい。
【００５２】
したがって、本実施形態に係る塵芥収集車１によると、塵芥投入箱２２のホッパガイドレール３０に向けて液体消臭剤を噴射するメイン噴射ノズル３５を設けたので、できるだけ少ない消費量で効果的に塵芥投入箱２２内の消臭を行うことができる。
【００５３】
（実施形態２）
図６〜図８は本発明の実施形態２に係る塵芥収集車１０１を示し、噴射方向が異なる点で上記実施形態１と異なる。なお、本実施形態では、図１〜図５と同じ部分については同じ符号を付してその詳細な説明は省略する。
【００５４】
本実施形態においても、図６及び図７に示すように、消臭剤タンク３３から第１供給管３３ａを経て第２供給管１３３ｂに液体消臭剤が供給されるようになっている。図８にも示すように、本実施形態の第２供給管１３３ｂは、左右の側壁２２ｅを繋ぐクロスバー１２２ｆに固定されており、塵芥投入箱２２の幅方向（左右方向）に延びている。そして、第２供給管１３３ｂの両端は、塵芥投入箱２２の側壁内面１２２ａの近傍まで延びている。第２供給管１３３ｂの各端部には、上記実施形態１と同様のメイン噴射ノズル１３５がそれぞれ設けられている。
【００５５】
具体的には、一対のメイン噴射ノズル１３５は、それぞれ側壁内面１２２ａに向けられている。特に、このメイン噴射ノズル１３５は、塵芥投入口２２ａの上縁近傍における、側壁内面１２２ａに向けて液体消臭剤を噴射するように構成されている（図６及び図７にハッチングで示す領域Ａ’）。なお、メイン噴射ノズル１３５の数は、２つに限定されず、それ以上設けられていても良い。
【００５６】
また、本実施形態では、第２供給管１３３ｂの左右方向中間に、補助噴射ノズル１３６も設けられている。この補助噴射ノズル１３６は、塵芥積込機構２３の回転板２３ａ、押込板２３ｂ等に向かって液体消臭剤を噴射するように構成されている（図７及び図８に示す領域Ｂ’）。
【００５７】
以上のように構成することにより、本実施形態においても、近接センサ３２がテールゲート２２ｂが閉じたのを検知したときに、電動ポンプ３４が駆動され、消臭剤タンク３３から液体消臭剤が送り出される。
【００５８】
液体消臭剤は、第１供給管３３ａを通って第２供給管１３３ｂに供給され、その両端のメイン噴射ノズル１３５と補助噴射ノズル１３６とから噴出される。
【００５９】
このように、メイン噴射ノズル１３５から液体消臭剤を塵芥そのものではなく、塵芥投入箱２２の側壁内面１２２ａに噴射しているので、塵芥を塵芥収容箱２１に押し込んだ後でも、消臭効果が残ると共に、作業時や走行時に臭いを発しやすい場所に噴射するので、消臭効果が高い。
【００６０】
また、メイン噴射ノズル１３５を側壁内面１２２ａの近傍に設けることにより、確実に液体消臭剤を側壁内面１２２ａに噴射することができる。これにより、本実施形態の塵芥収集車１０１においても、走行時において塵芥投入箱２２内部から臭気が外に漏れ出ることを防ぐことができる。
【００６１】
また、液体消臭剤を噴射する領域Ａ’を、特に塵芥投入口２２ａの上縁近傍に集中させることで、その位置から液体消臭剤が重力により側壁内面１２２ａに沿って下方に落ちる。このため、側壁内面１２２ａの広い範囲に消臭剤を付着させることができる。
【００６２】
更に、第２供給管１３３ｂの塵芥投入箱２２の幅方向中央に設けた補助噴射ノズル１３６から塵芥積込機構２３の押込板２３ｂ、回転板２３ａ等の可動部に向けて消臭剤が噴射されることにより、塵芥投入口２２ａから出ようとする臭気に対し、より一層広い範囲で消臭剤の香り成分を混合させることができる。
【００６３】
更に、仮に消臭剤が多めに噴射されて側壁内面１２２ａの下端部まで消臭液がしたたり落ちたとしても、余分な消臭剤は塵芥投入箱２２の底板に設けられた汚水孔から汚水タンク２５に入る。これにより、地面に消臭剤が大量にしたたり落ちるというトラブルをなくすことができる。
【００６４】
また、図６に範囲Ａ’で示すように、メイン噴射ノズル１３５から噴射される消臭剤は、一部がテールゲート２２ｂのホッパガイドレール３０に付着されるように調整されていても良い。こうすれば、上記実施形態１と同様の効果も得られる。
【００６５】
（その他の実施形態）
なお、以上の実施形態は、本質的に好ましい例示であって、本発明、その適用物や用途の範囲を制限することを意図するものではない。
【００６６】
例えば、上記実施形態では、塵芥収集車は、いわゆるインナースライド式のテールゲート開閉機構を備えていたが、本発明はこれに限らず、テールゲートが外部上方に向かって動いて開くタイプのテールゲート開閉機構であっても良い。また、塵芥積込機構２３は、回転板２３ａと押込板２３ｂを有する回転板式のものとしたが、圧縮式等他の形式のものでも良い。
【００６７】
上記実施形態では、近接センサ３２がテールゲート２２ｂが閉じたのを検知すると、その信号を受けて電動ポンプ３４が駆動され、消臭剤タンク３３から液体消臭剤が送り出されるようにしたが、操作スイッチ２２ｃに消臭スイッチ（図示せず）を設けて適宜手動で電動ポンプ３４を駆動し、消臭剤タンク３３から液体消臭剤が送り出されるようにしても良い。
【００６８】
上記実施形態では、塵芥収集車は、ベース車両１０を有する塵芥収集車１，１０１としたがこれに限定されず、ベース車両１０を有さない載置式の、例えばコンテナ式の塵芥収集装置２０を備えたものにも本発明を適用可能である。
【符号の説明】
【００６９】
１      塵芥収集車
１０      ベース車両
１１      シャシフレーム
１１ａ    車輪
１１ｂ    車輪
１２      キャブ
２０      塵芥収集装置
２１      塵芥収容箱
２２      塵芥投入箱
２２ａ    塵芥投入口
２２ｂ    テールゲート
２２ｃ    操作スイッチ
２２ｄ    開閉式サイドパネル
２２ｅ    側壁
２２ｆ    クロスバー
２３      塵芥積込機構
２３ａ    回転板
２３ｂ    押込板
２３ｃ    油圧モータ
２３ｄ    揺動シリンダ
２４      ローラ
２５      汚水タンク 
３０      ホッパガイドレール
３１      ゲート支持アーム
３２      近接センサ
３３      消臭剤タンク
３３ａ    第１供給管
３３ｂ    第２供給管
３３ｃ    ブラケット
３４      電動ポンプ
３４ａ    ハーネス
３５      メイン噴射ノズル
３６      補助噴射ノズル
１０１      塵芥収集車 
１２２ａ    側壁内面 
１２２ｆ    クロスバー
１３３ｂ    第２供給管 
１３５      メイン噴射ノズル 
１３６      補助噴射ノズル 
【図１Ａ】
2018087084.tif 000003
【図１Ｂ】
2018087084.tif 000004
【図２】
2018087084.tif 000005
【図３】
2018087084.tif 000006
【図４Ａ】
2018087084.tif 000007
【図４Ｂ】
2018087084.tif 000008
【図５】
2018087084.tif 000009
【図６】
2018087084.tif 000010
【図７】
2018087084.tif 000011
【図８】
2018087084.tif 000012